(57)【特許請求の範囲】
【請求項１】
画面を表示する表示部と、
前記画面を拡大および縮小するための選択入力を検出する選択検出部と、
前記画面に対する入力位置を検出する位置検出部と、
拡大のための前記選択入力が前記選択検出部により検出され、且つ、前記入力位置が前記位置検出部により検出されると、前記入力位置に応じた第１の領域の画像を拡大した画像を含む画面を前記表示部に表示させ、縮小のための前記選択入力が前記選択検出部により検出され、且つ、前記入力位置が前記位置検出部により検出されると、前記表示部に、前記画面を縮小した画像を含む画面を、前記入力位置に応じた第２の領域に表示させる制御部と、
を備え、
前記制御部は、
前記表示部に、画像のサムネイルを含む第１の画面と、当該第１の画面上で選択されたサムネイルに対応する元の画像を含む第２の画面とを並べて表示させ、
拡大のための前記選択入力が前記選択検出部により検出され、且つ、前記第２の画面に対する前記入力位置が前記位置検出部により検出されると、前記入力位置に応じた前記第２の画面上の前記第１の領域の画像を拡大した画像を含む第３の画面を、前記第１の画面が表示される表示領域に前記第１の画面に代えて表示させる、
ことを特徴とする携帯端末装置。
【請求項２】
請求項１に記載の携帯端末装置において、
前記制御部は、前記選択検出部により検出された前記選択入力が拡大を指示するものである場合、前記第１の領域の画像を前記第２の画面の大きさに広げ前記第３の画面として前記表示部に表示させる、
ことを特徴とする携帯端末装置。
【請求項３】
請求項１または２に記載の携帯端末装置において、
前記制御部は、前記位置検出部により検出された前記入力位置が所定の軌跡を辿る場合、前記軌跡の始点および終点に基づいて、前記第１または第２の領域を設定する、
ことを特徴とする携帯端末装置。
【請求項４】
請求項３に記載の携帯端末装置において、
前記制御部は、前記始点および終点に基づいて、前記第１または第２の領域を長方形に設定する、
ことを特徴とする携帯端末装置。
【請求項５】
請求項４に記載の携帯端末装置において、
前記制御部は、前記始点および終点によって前記長方形の対角の位置にある２つの頂点が規定されるよう、前記第１または第２の領域を設定する、
ことを特徴とする携帯端末装置。
【請求項６】
請求項４に記載の携帯端末装置において、
前記制御部は、前記始点および終点によって前記長方形の中心と一つの頂点が規定されるよう、前記第１または第２の領域を設定する、
ことを特徴とする携帯端末装置。
【請求項７】
請求項１ないし６の何れか一項に記載の携帯端末装置において、
前記拡大または縮小された後の画面のサイズを再び調整するためのサイズ調整部をさらに備える、
ことを特徴とする携帯端末装置。
【請求項８】
請求項１ないし７の何れか一項に記載の携帯端末装置において、
前記制御部は、所定の操作がなされることにより、または、前記第３の画面が表示されてから所定の時間が経過した後に、前記第３の画面の表示を解除し、前記第１の画面を再び前記表示部に表示させる、
ことを特徴とする携帯端末装置。
【請求項９】
請求項１ないし８の何れか一項に記載の携帯端末装置において、
画面の拡大または縮小を継続するための操作入力を検出する継続検出部をさらに備え、
前記制御部は、前記継続検出部が前記操作入力を検出する間、拡大または縮小された画像を含む画面を前記表示部に表示させ、前記継続検出部が前記操作入力を検出しなくなると、拡大または縮小された画像を含む画面が表示される前の画面に復帰させるよう前記表示部に制御する、
ことを特徴とする携帯端末装置。
【発明の詳細な説明】
【技術分野】
【０００１】
本発明は、携帯電話機やＰＤＡ（Personal Digital Assistant）等の携帯端末装置に関するものである。
【背景技術】
【０００２】
従来、携帯端末装置には、タッチパネルを表示面上に備えるものがある。かかる携帯端末装置では、表示面に対するタッチによって、ユーザは、表示面に表示される写真を拡大および縮小させることができる。
【０００３】
近年、複数の指を用いたタッチ（マルチタッチ）による画像の拡大および縮小が可能な携帯端末装置が普及している。しかし、マルチタッチによる画像の拡大および縮小のための操作は、複数の指が同時に動かされる必要があるため、複雑である。
【０００４】
その一方で、複雑ではない、分かりやすい画像の縮小のための操作方法が提案されている（たとえば、特許文献１参照）。提案された一つの方法では、表示面に対して円を描くようにタッチを行うことで、円で囲まれた領域上の画像を拡大させることができる。
【先行技術文献】
【特許文献】
【０００５】
【特許文献１】特開２００４−２８０７４５号公報
【発明の概要】
【発明が解決しようとする課題】
【０００６】
上記の構成では、画像を縮小させることについては、述べられていない。携帯端末装置において、分かりやすい操作によって、画像の拡大および縮小の両方が行えることが望ましい。
【０００７】
本発明は、かかる課題に鑑みてなされたものであり、画像の拡大または縮小するための分かりやすい操作をユーザが行える携帯端末装置を提供することを目的とする。
【課題を解決するための手段】
【０００８】
本発明の携帯端末装置は、画面を表示する表示部と、前記画面を拡大および縮小するための選択入力を検出する選択検出部と、前記画面に対する入力位置を検出する位置検出部と、拡大のための前記選択入力が前記選択検出部により検出され、且つ、前記入力位置が前記位置検出部により検出されると、前記入力位置に応じた第１の領域の画像を拡大した画像を含む画面を前記表示部に表示させ、縮小のための前記選択入力が前記選択検出部により検出され、且つ、前記入力位置が前記位置検出部により検出されると、前記表示部に、前記画面を縮小した画像を含む画面を、前記入力位置に応じた第２の領域に表示させる制御部と、を備える。ここで、前記制御部は、前記表示部に、画像のサムネイルを含む第１の画面と、当該第１の画面上で選択されたサムネイルに対応する元の画像を含む第２の画面とを並べて表示させ、拡大のための前記選択入力が前記選択検出部により検出され、且つ、前記第２の画面に対する前記入力位置が前記位置検出部により検出されると、前記入力位置に応じた前記第２の画面上の前記第１の領域の画像を拡大した画像を含む第３の画面を、前記第１の画面が表示される表示領域に前記第１の画面に代えて表示させる。
【０００９】
なお、「第１の領域」および「第２の領域」は、同じ設定方法により設定されてもよい。
【００１０】
本発明の携帯端末装置において、前記制御部は、前記選択検出部により検出された前記選択入力が拡大を指示するものである場合、前記第１の領域の画像を前記第２の画面の大きさに広げ前記第３の画面として前記表示部に表示させ得る。
【００１１】
本発明の携帯端末装置において、前記制御部は、前記位置検出部により検出された前記入力位置が所定の軌跡を辿る場合、前記軌跡の始点および終点に基づいて、前記第１または第２の領域を設定し得る。
【００１２】
本発明の携帯端末装置において、前記制御部は、前記始点および終点に基づいて、前記第１または第２の領域を長方形に設定し得る。
【００１３】
本発明の携帯端末装置において、前記制御部は、前記始点および終点によって前記長方形の対角の位置にある２つの頂点が規定されるよう、前記第１または第２の領域を設定し得る。
【００１４】
本発明の携帯端末装置において、前記制御部は、前記始点および終点によって前記長方形の中心と一つの頂点が規定されるよう、前記第１または第２の領域を設定し得る。
【００１５】
本発明の携帯端末装置において、前記拡大または縮小された後の画面のサイズを再び調整するためのサイズ調整部をさらに備え得る。
【００１６】
本発明の携帯端末装置において、前記制御部は、所定の操作がなされることにより、または、前記第３の画面が表示されてから所定の時間が経過した後に、前記第３の画面の表示を解除し、前記第１の画面を再び前記表示部に表示させ得る。
【００１８】
本発明の携帯端末装置において、画面の拡大または縮小を継続するための操作入力を検出する継続検出部をさらに備え得る。この場合、前記制御部は、前記継続検出部が前記操作入力を検出する間、拡大または縮小された画像を含む画面を前記表示部に表示させ、前記継続検出部が前記操作入力を検出しなくなると、拡大または縮小された画像を含む画面が表示される前の画面に復帰させるよう前記表示部に制御する。
【発明の効果】
【００１９】
本発明によれば、画像の拡大および縮小の操作を、ユーザが容易に行える携帯端末装置を提供することができる。
【００２０】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２１】
【図１】実施の形態に係る携帯電話機の外観構成を示す図である。
【図２】実施の形態に係る携帯電話機の状態の切り替えを説明するための図である。
【図３】実施の形態に係る携帯電話機の全体構成を示すブロック図である。
【図４】実施の形態に係る画像の拡大または縮小するための処理手順を示すフローチャートである。
【図５】実施の形態に係るアプリケーションが実行されたときの実行画面および選択画面を示す図である。
【図６】実施の形態に係る画像を拡大するための操作がなされたときの画面を示す図である。
【図７】実施の形態に係る画像を縮小するための操作がなされたときの画面を示す図である。
【図８】変更例１に係る画像の拡大または縮小するための処理手順を示すフローチャートである。
【図９】変更例１に係るアプリケーションが実行されたときの実行画面および選択画面を示す図である。
【図１０】変更例１に係る画像を拡大するための操作がなされたときの画面を示す図である。
【図１１】変更例２に係る画像の拡大または縮小するための処理手順を示すフローチャートである。
【図１２】変更例２に係る画像を拡大するための操作がなされたときの画面を示す図である。
【図１３】変更例３に係る画像の拡大または縮小するための処理手順を示すフローチャートである。
【図１４】変更例３に係る画像を拡大するための操作がなされたときの画面を示す図である。
【図１５】変更例４に係る倍率を変更するための処理手順を示すフローチャートである。
【図１６】変更例４に係る画像を縮小するための操作がなされたときの画面を示す図である。
【図１７】変更例５に係る画像を縮小するための操作がなされたときの画面を示す図である。
【図１８】その他の変更例に係る画像を拡大または縮小するための操作がなされたときの画面を示す図である。
【発明を実施するための形態】
【００２２】
以下、本発明の実施の形態について、図面を参照して説明する。
【００２３】
＜携帯電話機の構成＞
図１は、携帯電話機１の構成を示す分解斜視図である。携帯電話機１は、第１キャビネット１０と、第２キャビネット２０と、これら第１、第２キャビネット１０、２０を保持する保持体３０とで構成されている。
【００２４】
第１キャビネット１０は、横長の直方体形状を有する。第１キャビネット１０には、第１タッチパネルが配されている。第１タッチパネルは、第１ディスプレイ１１、第１タッチセンサ１２および第１透明カバー１３を含む。
【００２５】
第１ディスプレイ１１は、第１表示面１８に第１画面を表示する。第１ディスプレイ１１は、第１液晶パネル１１ａおよび第１液晶パネル１１ａを照明する第１バックライト１１ｂで構成されている。第１液晶パネル１１ａの前面に第１表示面１８が設けられる。第１ディスプレイ１１の上に第１タッチセンサ１２が重ねられて配されている。第１バックライト１１ｂは１つまたは複数の光源を含む。
【００２６】
第１タッチセンサ１２は、第１表示面１８に表示された第１画面に対しユーザが入力したこと、および入力した位置を検出する。第１タッチセンサ１２は、透明な長方形状のシートであり、第１ディスプレイ１１の第１表示面１８を覆う。第１タッチセンサ１２は、マトリクス状に配された第１透明電極と第２透明電極とを備えている。第１タッチセンサ１２は、これら透明電極間の静電容量の変化を検出することによって、ユーザが触れた第１表示面１８上の位置を検出し、その位置に応じた位置信号を出力する。
【００２７】
なお、ユーザが第１表示面１８をタッチするとは、たとえば、ユーザが指やペンなどの接触部材によって第１表示面１８を押したり、撫でたり、図形や文字を描いたりすることである。また、第１表示面１８をタッチするは、実際には、後述する第１透明カバー１３の中で第１画面が映る領域をタッチすることである。
【００２８】
第１透明カバー１３が、第１タッチセンサ１２の上に重ねられている。第１透明カバー１３は、第１タッチセンサ１２を覆い、第１キャビネット１０の正面に現れる。
【００２９】
第１キャビネット１０の内部には、中央やや後ろ位置にカメラモジュール１４が配されている。このカメラモジュール１４における被写体像を取り込むためのレンズ窓（図示せず）が、第１キャビネット１０の下面に設けられている。
【００３０】
また、第１キャビネット１０の内部には、前面近傍の中央位置に磁石１５が配されており、左前角部に磁石１６が配されている。
【００３１】
さらに、第１キャビネット１０の右側面および左側面には、突起部１７が設けられている。
【００３２】
第２キャビネット２０は、横長の直方体形状であって、第１キャビネット１０とほぼ同じ形状と大きさを有する。第２キャビネット２０には、第２タッチパネルが配されている。第２タッチパネルは、第２ディスプレイ２１、第２タッチセンサ２２および第２透明カバー２３を含む。
【００３３】
第２ディスプレイ２１は、第２表示面２８に第２画面を表示する。第２ディスプレイ２１は、第２液晶パネル２１ａおよび、第２液晶パネル２１ａを照明する第２バックライト２１ｂで構成されている。第２液晶パネル２１ａの前面に第２表示面２８が設けられる。第２バックライト２１ｂは１つまたは複数の光源を含む。なお、第１ディスプレイ１１および第２ディスプレイ２１は、有機ＥＬ等他の表示素子により構成されてもよい。
【００３４】
第２タッチセンサ２２は、第２表示面２８に表示された第２画面に対してユーザが入力したこと、および入力位置を検出する。第２タッチセンサ２２が第２ディスプレイ２１に重ねられている。第２タッチセンサ２２は第２ディスプレイ２１を覆い、第２タッチセンサ２２の上に第２透明カバー２３が重ねられている。なお、第２タッチセンサ２２の構成は、第１タッチセンサ１２と同様である。
【００３５】
なお、ユーザが第２表示面２８をタッチするとは、実際には、後述する第２透明カバー２３の中で第２画面が映る領域をユーザが指などで触れることである。
【００３６】
第２透明カバー２３は、第２タッチセンサ２２を覆い、第２キャビネット２０の正面に現れる。
【００３７】
第２キャビネット２０の内部には、後面近傍の中央位置に磁石２４が配されている。この磁石２４と第１キャビネット１０の磁石１５とは、開状態で互いに引き合うよう構成されている。なお、開状態は、後述の如く、第１キャビネット１０と第２キャビネット２０が、双方のディスプレイ１１、２１により大画面を構成するように配置された状態である。また、磁石２４または磁石１５のいずれか一方の磁力が十分大きければ、他方の磁石を磁性体に代えてもよい。
【００３８】
第２キャビネット２０の内部において、左前角部には閉鎖センサ２５が配されており、
左後角部には開放センサ２６が配されている。これらセンサ２５、２６は、たとえば、ホールＩＣなどで構成され、磁石１６の磁力に反応して検出信号を出力する。第１キャビネット１０と第２キャビネット２０とが重なると、第１キャビネット１０の磁石１６が閉鎖センサ２５に接近する。これによって、閉鎖センサ２５からＯＮ信号が出力される。一方、第１キャビネット１０と第２キャビネット２０とが前後に並んだ状態になると、第１キャビネット１０の磁石１６が開放センサ２６に接近する。これによって、開放センサ２６からＯＮ信号が出力される。
【００３９】
さらに、第２キャビネット２０の両側面にはそれぞれ２つの軸部２７が設けられている。
【００４０】
保持体３０は、底板部３１と、底板部３１の右端部に形成された右保持部３２と、底板部３１の左端部に形成された左保持部３３とで構成されている。
【００４１】
底板部３１には、３つのコイルバネ３４が左右方向に並ぶように配されている。これらコイルバネ３４は、第２キャビネット２０が保持体３０に取り付けられた状態において、第２キャビネット２０の下面に当接し、第２キャビネット２０に対して上方に押し上げる力を付与する。
【００４２】
右保持部３２の上面にはマイク３５および電源キー３６が配されている。左保持部３３の上面には、スピーカ３８が配されている。
【００４３】
また、左保持部３３の外側面には、ハードキー群３７が配されている。ハードキー群３７は、アップキー３７ａおよびダウンキー３７ｂを含む。アップキー３７ａおよびダウンキー３７ｂは、主にスピーカ３８が出力する音声などの音のボリュームを変更するために用いられる。
【００４４】
右保持部３２および左保持部３３の内側面には、案内溝３９（右保持部３２側のみ図示）が形成されている。案内溝３９は、上溝３９ａ、下溝３９ｂおよび２つの縦溝３９ｃとで構成されている。上溝３９ａおよび下溝３９ｂは前後方向に延び、縦溝３９ｃは、上溝３９ａと下溝３９ｂとを繋ぐように上下に延びる。
【００４５】
携帯電話機１を組み立てる際には、軸部２７が案内溝３９の下溝３９ｂに挿入され、第２キャビネット２０が保持体３０の収容領域Ｒ内に配置される。突起部１７が案内溝３９の上溝３９ａに挿入され、第１キャビネット１０が第２キャビネット２０の上に配置され、第１キャビネット１０が保持体３０の収容領域Ｒ内に収まる。
【００４６】
こうして、底板部３１、右保持部３２および左保持部３３に囲まれた収容領域Ｒの中に、第１キャビネット１０および第２キャビネット２０が上下に重なった状態で収容される。この状態では、第１キャビネット１０は、上溝３９ａに案内されて前後にスライド可能である。第２キャビネット２０は、下溝３９ｂに案内されて前後にスライド可能である。また、第２キャビネット２０が前方に移動し、軸部２７が縦溝３９ｃまでくると、第２キャビネット２０は、縦溝３９ｃに案内されて上下にスライド可能となる。
【００４７】
図２は、携帯電話機１を閉状態から開状態へ切り替えるための操作について説明するための図である。
【００４８】
図２（ａ）に示す閉状態では、第１キャビネット１０が第２キャビネット２０の上に重ねられて、携帯電話機１が畳まれる。第２表示面２８が隠れ、第１表示面１８のみが外部に露出する。
【００４９】
図２（ｂ）に示すように、ユーザが、第１キャビネット１０を矢印に示す後方に移動させて、図２（ｃ）に示すように、第２キャビネット２０を前方へ引き出す。そして、第２キャビネット２０が第１キャビネット１０に完全に重ならなくなると、図１に示す軸部２７、２７が縦溝３９ｃにくる。これにより、軸部２７、２７が縦溝３９ｃに沿って動き、第２キャビネット２０は上下に移動可能になる。このとき、コイルバネ３４の弾力と、磁石１５および磁石２４の引力とにより、第２キャビネット２０は上昇する。
【００５０】
図２（ｄ）に示すように、第２キャビネット２０が第１キャビネット１０と密着した並び、第２キャビネット２０の第２表示面２８が第１表示面１８と同じ高さになる。これにより、携帯電話機１は開状態に切り替えられる。開状態では、第１キャビネット１０および第２キャビネット２０が広げられて、第１表示面１８と第２表示面２８の双方が外部に露出する。
【００５１】
図３は、携帯電話機１の全体構成を示すブロック図である。本実施の形態の携帯電話機１は、上述した各構成要素の他、ＣＰＵ１００、メモリ２００、映像エンコーダ３０１、音声エンコーダ３０２、キー入力回路３０３、通信モジュール３０４、バックライト駆動回路３０５、映像デコーダ３０６、音声デコーダ３０７、バッテリー３０９、電源部３１０、クロック３１１を備えている。
【００５２】
カメラモジュール１４はＣＣＤ等の撮像素子を有する。カメラモジュール１４は、撮像素子から出力された撮像信号をデジタル化し、その撮像信号にガンマ補正等の各種補正を施して映像エンコーダ３０１へ出力する。映像エンコーダ３０１は、カメラモジュール１４からの撮像信号にエンコード処理を施してＣＰＵ１００へ出力する。
【００５３】
マイク３５は、集音した音声を音声信号に変換して音声エンコーダ３０２へ出力する。音声エンコーダ３０２は、マイク３５からのアナログの音声信号をデジタルの音声信号に変換するとともに、デジタルの音声信号にエンコード処理を施してＣＰＵ１００へ出力する。
【００５４】
キー入力回路３０３は、電源キー３６やハードキー群３７の各キーが押されたときに、各キーに応じた入力信号をＣＰＵ１００へ出力する。
【００５５】
ハードキー群３７の各キーには、現在の携帯電話機１の動作状態や実行されるアプリケーションに応じて、各種の処理を実行する機能がそれぞれ割り当てられる。
【００５６】
通信モジュール３０４は、ＣＰＵ１００からの情報を無線信号に変換し、アンテナ３０４ａを介して基地局へ送信する。また、通信モジュール３０４は、アンテナ３０４ａを介して受信した無線信号を情報に変換してＣＰＵ１００へ出力する。
【００５７】
バックライト駆動回路３０５は、ＣＰＵ１００からの制御信号に応じた電圧を第１バックライト１１ｂおよび第２バックライト２１ｂにかける。第１バックライト１１ｂは、バックライト駆動回路３０５による電圧により点灯し、第１液晶パネル１１ａを照明する。第２バックライト２１ｂは、バックライト駆動回路３０５による電圧により点灯し、第２液晶パネル２１ａを照明する。
【００５８】
映像デコーダ３０６は、ＣＰＵ１００からの画像情報を第１液晶パネル１１ａおよび第２液晶パネル２１ａで表示できる画像信号に変換し、これらを液晶パネル１１ａ、２１ａに出力する。第１液晶パネル１１ａは、画像信号に応じた第１画面を第１表示面１８に表示する。第２液晶パネル２１ａは、画像信号に応じた第２画面を第２表示面２８に表示す
る。
【００５９】
音声デコーダ３０７は、ＣＰＵ１００からの音声信号と、着信音やアラーム音等の各種通知音の音信号とにデコード処理を施し、さらにアナログの音声信号に変換してスピーカ３８に出力する。スピーカ３８は、音声デコーダ３０７からの音声信号や着信音等を再生する。
【００６０】
バッテリー３０９は、ＣＰＵ１００やＣＰＵ１００以外の各部へ電力を供給するためのものであり、二次電池からなる。バッテリー３０９は電源部３１０に接続されている。
【００６１】
電源部３１０は、バッテリー３０９の電圧を各部に必要な大きさの電圧に変換して各部へ供給する。また、電源部３１０は、外部電源（図示せず）を介して供給された電力をバッテリー３０９へ供給して、バッテリー３０９を充電する。
【００６２】
クロック３１１は、時間を計測し、計測した時間を応じた信号をＣＰＵ１００へ出力する。
【００６３】
メモリ２００は、ＲＯＭおよびＲＡＭを含む。メモリ２００には、ＣＰＵ１００に制御機能を付与するための制御プログラムが記憶されている。メモリ２００には、画像データ、通信モジュール３０４を介して外部から取り込んだ情報、および各タッチセンサ１２、２２により入力された情報が所定のファイル形式で保存される。
【００６４】
また、各種の処理が実行される際、ＣＰＵ１００は、メモリ２００をワーキングメモリとして使用し、一時的に利用または生成するデータをメモリ２００に記憶させる。
【００６５】
ＣＰＵ１００は、キー入力回路３０３および各タッチセンサ１２、２２からの操作入力信号に基づき、制御プログラムに従って、カメラモジュール１４、マイク３５、通信モジュール３０４、液晶パネル１１ａ、２１ａ、スピーカ３８、スピーカ３８等を動作させる。これにより、ＣＰＵ１００は、通話機能、電子メール機能、ウェブブラウザ機能、画像閲覧機能等の各種アプリケーションを実行する。
【００６６】
また、ＣＰＵ１００は、第１表示面１８または第２表示面２８に表示された、各種アプリケーションの実行画面、写真や図柄等の画像に、拡大や縮小等、変換を適用するための処理を実行する。
【００６７】
以下、ＣＰＵ１００により実行される画像の拡大および縮小のための処理について説明する。
【００６８】
＜本実施の形態の処理手順＞
さて、図４は、本実施の形態に係る画像の拡大および縮小のための処理の手順を示すフローチャートである。図５は、アプリケーションが起動されたときに第１表示面１８および第２表示面２８にそれぞれ表示される画面を示す図である。図６（ａ）は、画像を拡大するための操作がなされるときの画面を示す図である。図６（ｂ）は、図６（ａ）に示すような操作がなされたことにより、当該画像が拡大されたときの画面を示す図である。図７（ａ）は、画像を縮小するための操作がなされるときの画面を示す図である。図７（ｂ）は、図７（ａ）に示すような操作がなされたことにより、当該画像が縮小されたときの画面を示す図である。
【００６９】
ＣＰＵ１００は、所定のアプリケーション、たとえば、ウェブブラウザのアプリケーションが起動すると、図５に示すように、第１表示面１８にウェブブラウザによる実行画面
を表示する（Ｓ１０１）。また、ＣＰＵ１００は、第２表示面２８にユーザが画像の拡大および縮小の変換のうち一方を選択するための操作画面を表示する（Ｓ１０２）。
【００７０】
実行画面は、検索キーワードを入力するための入力欄、検索を開始するためのボタン、各種のテキストなどを表す画像を含む。操作画面は、拡大キーＢ１および縮小キーＢ２を含む。拡大キーＢ１は、画像の拡大を選択するためのキーであり、縮小キーＢ２は、画像の縮小を選択するためのキーである。
【００７１】
次に、ＣＰＵ１００は、第２表示面２８上の拡大キーＢ１または縮小キーＢ２がユーザにより押下されたことを検出する（Ｓ１０３）。たとえば、図６（ａ）に示すように、ユーザにより拡大キーＢ１がタッチされた場合、ＣＰＵ１００は、画像の拡大が選択されたことを検出する。この場合、後述するステップＳ１０８の画像を拡大する処理が実行される。一方、図７（ａ）に示すように、ユーザにより縮小キーＢ２がタッチされた場合、ＣＰＵ１００は、画像の縮小が選択されたことを検出する。この場合、後述するステップＳ１０９の画像を縮小する処理が実行される。
【００７２】
ユーザにより拡大キーＢ１または縮小キーＢ２の何れかのキーが押されると（Ｓ１０３：ＹＥＳ）、ＣＰＵ１００は、第１タッチセンサ１２からの位置信号の入力を監視する。そして、ＣＰＵ１００は、第１表示面１８に対し、スライド（指で線を描くようにタッチする操作）がなされたか否かを判定する（Ｓ１０４）。第１表示面１８に対しスライドがされた場合（Ｓ１０４：ＹＥＳ）、ＣＰＵ１００は、スライドに関する第１タッチセンサ１２からの入力信号に基づき、当該スライドの始点および終点の位置を検出する（Ｓ１０５）。たとえば、図６（ａ）に示すように、ユーザにより第１表示面１８上において、指を図の矢印に沿ってスライドさせた場合、ＣＰＵ１００は、始点の位置Ｐ１および終点の位置Ｐ２を検出する。
【００７３】
次のステップＳ１０６において、ＣＰＵ１００は、始点の位置Ｐ１および終点の位置Ｐ２に基づいて、第１の表示領域に含まれる領域Ｄ１を設定する。そして、ＣＰＵ１００は、領域Ｄ１の境界を表す破線の枠Ｆ１を、第１表示面１８に表示する。領域Ｄ１は、始点の位置Ｐ１および終点の位置Ｐ２により定義される長方形状領域である。すなわち、領域Ｄ１は、各辺がＸ軸またはＹ軸に平行な長方形状を有し、且つ始点の位置Ｐ１および終点の位置Ｐ２がそれぞれ領域Ｄ１における中心を挟んで互いに対向する二つの頂点の位置となるよう設定される。
【００７４】
なお、ＣＰＵ１００は、第１表示面１８に対してスライドされている最中、現在行われているスライドの始点の位置Ｐ１および現在タッチされている位置により定義される長方形状領域の境界を表す線を、第１表示面１８に随時表示する。これにより、ユーザがスライドを行っている最中においても、設定される領域Ｄ１の大きさや形状を、ユーザが容易に視認できる。
【００７５】
次のステップＳ１０７において、ＣＰＵ１００は、ステップＳ１０３において検知した選択が、拡大および縮小する変換のうち何れであるかを判定する。拡大する変換が選択されていた場合（Ｓ１０７：拡大）、ステップＳ１０８の画像を拡大する処理へ進む。縮小する変換が選択されていた場合（Ｓ１０７：縮小）、ステップＳ１０９の画像を縮小する処理へ進む。
【００７６】
ステップＳ１０８において、ＣＰＵ１００は、設定された領域Ｄ１上に表示された画像（以下、「領域Ｄ１内の画像」という。）を拡大して第１表示面１８に表示する。この際、ＣＰＵ１００は、領域Ｄ１内の画像の大きさが第１表示面１８に略一杯に表示される大きさになるよう、領域Ｄ１内の画像を拡大する。
【００７７】
図６（ａ）を用いて説明された操作がなされた場合、ＣＰＵ１００は、図６（ｂ）に示されるように、領域Ｄ１内の画像全体が第１表示面１８に表示され、且つその大きさが最大になるよう、領域Ｄ１内の画像を拡大する。領域Ｄ１は、Ｓ１０６の処理の実行の結果、領域Ｄ１の境界が図６（ｂ）の破線の枠で示される大きさになるよう拡大される。
【００７８】
図７（ａ）を用いて説明された操作がなされた場合、ＣＰＵ１００は、図７（ｂ）に示されるように、第１表示面１８に表示された画像の大きさが領域Ｄ１を略一杯に含む大きさになるよう、第１表示面１８に表示された画像を縮小する。第１表示面１８に表示された画像は、Ｓ１０７の処理の実行の結果、領域Ｄ１（破線の枠参照）を中央に含み、且つ最小の大きさ（二点鎖線の枠参照）になるよう、縮小される。
【００７９】
こうして、ステップＳ１１０において、実行されているアプリケーション、ここではウェブブラウザが終了されたと判定されるまで、ステップＳ１０３からＳ１０９までの処理が実行される。
【００８０】
なお、図７（ａ）の第１表示面１８に表示された画像が、第１表示面１８の大きさに収まらない大きさを持つ元の画像（所定の形式でメモリ２００に記憶されている）の、一部の領域内の画像である場合が起こり得る。すなわち、元の画像の縦方向または横方向のサイズ（単位は画素）が、第１表示面１８の対応する縦方向または横方向のサイズを超えている場合が起こり得る。この場合、ＣＰＵ１００は、ステップＳ１０９の処理を実行する際、元の画像において表示対象となる領域を広げて、第１表示面１８に表示する。
【００８１】
以上、本実施の形態によれば、ユーザは、領域Ｄ１を指定するための第１表示面１８に対するタッチを行う前に、当該画像の拡大および縮小する変換のうち何れの変換とするかを、ソフトキー（拡大キーＢ１、縮小キーＢ２）により選択することができる。これによって、ユーザは、画像を拡大させるのか縮小させるのかを明確に認識できる。よって、分かりやすい操作によって、画像の拡大および縮小をさせることができる。
【００８２】
また、ユーザは、拡大や縮小の倍率を設定するために領域Ｄ１を指定する際、スライドによって２点（始点および終点）の位置を指定するだけでよい。特に、ユーザは、２点タッチのように複数の指を同時に動かす複雑な動作を行う必要はない。よって、ユーザは、簡単な操作によって、画像の拡大および縮小をさせることができる。
【００８３】
ＣＰＵ１００による領域Ｄ１を指定する方法は、拡大の場合か縮小の場合かによらず、共通している（Ｓ１０３、Ｓ１０４）。したがって、ユーザは、第１表示面１８に対する領域Ｄ１の指定のためのタッチのための動作を、拡大の場合と縮小の場合とで変化させる必要がない。このため、ユーザは、画像の拡大および縮小のために、多くの操作方法を学習する必要がない。よって、ユーザは、さらに分かりやすい操作によって、画像の拡大および縮小をさせることができる。
【００８４】
さらに、ユーザにより第１表示面１８に対してスライドが行われている際、ＣＰＵ１００は、当該スライドの始点の位置および現在のタッチ位置により定義される長方形状領域の枠Ｆ１を、第１表示面１８に表示する。よって、ユーザは、指定される領域Ｄ１の形状および大きさがどの程度であるかを容易に認識でき、さらに分かりやすい。
【００８５】
＜変更例１＞
図８は、変更例１に係る画像の拡大および縮小のための処理手順を示すフローチャートである。図９は、アプリケーションが起動されたときに第１表示面１８および第２表示面２８にそれぞれ表示される画面を示す図である。図１０（ａ）は、画像を拡大するための
操作がなされるときの画面を示す図である。図１０（ｂ）は、図１０（ａ）に示すような操作がなされたことにより、当該画像が拡大されたときの画面を示す図である。
【００８６】
ＣＰＵ１００は、所定のアプリケーション、たとえば、ウェブブラウザのアプリケーションが起動すると、図９に示すように、第１表示面１８にウェブブラウザによる実行画面を表示する（Ｓ２０１）。また、ＣＰＵ１００は、第２表示面２８にユーザが画像の拡大および縮小の変換のうち一方を選択するための操作画面を表示する（Ｓ２０２）。
【００８７】
図９において、第２表示面２８上に表示される操作画面は、左右方向（Ｘ軸方向）に延びる目盛りＭおよび目盛りＭの中心に配された調整レバーＢ３を含む。目盛りＭおよび調整レバーＢ３は、画像の拡大および縮小の変換をするための倍率をユーザが指定するためのものである。第２表示面２８の右上隅には、調整レバーＢ３の目盛りＭ上での位置に対応する倍率が表示される。図９では、第２表示面２８の右上隅に、「１００％」なる文字列が表示される。
【００８８】
調整レバーＢ３が目盛りＭの中央に位置することは、設定される倍率が等倍（１００％）であることを意味する。調整レバーＢ３が目盛りＭの目盛りを一区分ずつ右左へ移動されると、設定される倍率が１０％増減される。
【００８９】
ユーザは、第２表示面２８に対するスライドによって、調整レバーＢ３を、目盛りＭ上の所望の位置に移動させることができる。すなわち、ＣＰＵ１００は、ユーザによるスライドに応じて、調整レバーＢ３上において調整レバーＢ３を移動させる。そして、ＣＰＵ１００は、スライドの終点の位置に、調整レバーＢ３を保持して表示する。ユーザは、たとえば、調整レバーＢ３を図１０（ａ）の矢印の方向へ移動させ、破線で描かれたレバーの位置（倍率１４０％に対応する）に移動させることができる。
【００９０】
なお、ＣＰＵ１００は、ユーザが調整レバーＢ３を移動させている最中においても、調整レバーＢ３の位置に対応した倍率を第２表示面２８の右上隅に随時更新して表示してもよい。
【００９１】
次のステップＳ２０３において、ＣＰＵ１００は、ユーザにより調整レバーＢ３が移動されたか否かをする。そして、移動されたことを検出すると、ＣＰＵ１００は、移動された調整レバーＢ３の位置に対応する倍率を検出する（Ｓ２０４）。たとえば、図１０（ａ）に示す位置に調整レバーＢ３がされた場合、ＣＰＵ１００は、画像の変換の倍率１４０％を検出する。この場合、後述するステップＳ２０９の画像を拡大する処理が実行される。一方、たとえば、図１０（ａ）の破線で描かれたレバーの位置に調整レバーＢ３が移動された場合、ＣＰＵ１００は、画像の変換の倍率７０％を検出する。この場合、後述するステップＳ２１０の画像を縮小する処理が実行される。
【００９２】
ユーザにより調整レバーＢ３が移動され、倍率が検出されると（Ｓ２０３：ＹＥＳ→Ｓ２０４）、ＣＰＵ１００は、第１タッチセンサ１２からの位置信号の入力を監視する。そして、ＣＰＵ１００は、第１表示面１８に対し、タップ（指で一瞬軽くたたく操作）がなされたか否かを判定する（Ｓ２０５）。第１表示面１８に対しタップがされた場合（Ｓ２０５：ＹＥＳ）、ＣＰＵ１００は、タップに関する第１タッチセンサ１２からの入力信号に基づき、当該タップの位置を検出する（Ｓ２０６）。たとえば、図１０（ａ）に示すように、ユーザが第１表示面１８上の位置Ｐ３をタップした場合、ＣＰＵ１００は、タップの位置Ｐ３を検出する。
【００９３】
次のステップＳ２０７において、ＣＰＵ１００は、ステップＳ２０４において検出された倍率およびステップＳ２０６において検出された位置Ｐ３に基づいて、領域Ｄ２を設定
する。そして、ＣＰＵ１００は、領域Ｄ２の境界を表す破線の枠Ｆ２を第１表示面１８に表示する。領域Ｄ２は各辺がＸ軸またはＹ軸に平行な長方形状を有する。領域Ｄ２の中心位置は、タップの位置Ｐ３に略一致する。ＣＰＵ１００は、領域Ｄ２の大きさを以下のようにして設定する。
【００９４】
指定された倍率が拡大であった場合、たとえば上記例のように１４０％であった場合、ＣＰＵ１００は、領域Ｄ２を１．４倍に拡大したときの領域の形が第１表示面１８の形に略一致するよう、領域Ｄ２の大きさを設定する。
【００９５】
指定された倍率が縮小であった場合、たとえば７０％であった場合、ＣＰＵ１００は、第１表示面１８の領域の０．７倍の大きさに略一致するよう、領域Ｄ２の大きさを設定する。
【００９６】
次のステップＳ２０８において、ＣＰＵ１００は、ステップＳ２０４において検出した倍率が、１００％を超えるか否かを判定する。１００％を超える場合（Ｓ２０８：ＹＥＳ）、ステップＳ２０９の画像を拡大する処理へ進む。縮小する変換が選択されていた場合（Ｓ２０８：ＮＯ）、ステップＳ２１０の画像を縮小する処理へ進む。
【００９７】
ステップＳ２０９における画像の拡大の処理は、図４のステップＳ１０８における画像の拡大の処理に同じである。また、ステップＳ２１０における画像の縮小の処理は、図４のステップＳ１０９における画像の縮小の処理に同じである。
【００９８】
図１０（ａ）を用いて説明された操作がなされた場合、ＣＰＵ１００は、図１０（ｂ）に示されるように、領域Ｄ２の境界が図１０（ｂ）の破線の枠で表される大きさになるよう、領域Ｄ２内の画像を拡大する。
【００９９】
こうして、ステップＳ２１１において、実行されているアプリケーション、ここではウェブブラウザが終了されたと判定されるまで、ステップＳ２０３からＳ２１０までの処理が実行される。
【０１００】
以上、本変更例によれば、領域Ｄ２を設定させる前に、ユーザは、画像の拡大および縮小する変換のうち何れか一方の変換とするか、およびその際の倍率を選択することができる。したがって、ユーザは、画像を拡大させるのか縮小させるのかに加えてさらにその倍率を予め認識できる。よって、分かりやすい操作によって、画像の拡大および縮小をさせることができる。また、領域Ｄ２の設定のためには、ユーザは、タップの操作によって領域Ｄ２の中心位置を指定するだけでよい。よって、ユーザは、簡単な操作によって、画像の拡大および縮小を行える。
【０１０１】
＜変更例２＞
上記実施の形態では、画像の拡大および縮小のための処理が、第１表示面１８および第２表示面２８の双方が外部に露出した開状態（図２（ｄ）参照）で実行される。そして、第２表示面２８にソフトキーである拡大キーＢ１および縮小キーＢ２が表示される。
【０１０２】
これに対し、本変更例では、拡大キーＢ１および縮小キーＢ２に替わりに、ハードキー群３７のアップキー３７ａおよびダウンキー３７ｂが用いられる。そして、画像の拡大および縮小のための処理が、第１表示面１８のみが外部に露出した閉状態（図２（ａ）参照）においても実行される。
【０１０３】
図１１は、変更例２に係る画像の拡大および縮小のための処理手順を示すフローチャートである。
【０１０４】
本変更例では、図４のステップＳ１０２およびＳ１０３の処理が、図１１のステップＳ１２２およびＳ１２３の処理に変更される。それ以外の処理は、上記実施の形態と同様である。
【０１０５】
図１１を参照して、ＣＰＵ１００は、携帯電話機１が閉状態にあるときに、アプリケーションが起動すると、第１表示面１８にアプリケーションの実行画面を表示する（Ｓ１０１）。次に、ＣＰＵ１００は、アップキー３７ａを、拡大のためにキーとして割り当て、ダウンキー３７ｂを縮小のためのキーとして割り当てる（Ｓ１２２）。そして、ＣＰＵ１００は、アップキー３７ａまたはダウンキー３７ｂが押されたか否かを検出する（Ｓ１２３）。
【０１０６】
図１２（ａ）は、本変更例に係る画像を拡大するための操作がなされるときの画面を示す図である。図１２（ａ）において、第１表示面１８には、たとえば、ウェブブラウザのアプリケーションが実行されたときの実行画面が表示されている。
【０１０７】
たとえば、図１２（ａ）に示されるように、ユーザがアップキー３７ａを押下した場合、ＣＰＵ１００は、アップキー３７ａが押下されたことを検知し（Ｓ１２３：ＹＥＳ）、続いて、上記実施の形態と同様にしてステップＳ１０４〜Ｓ１０８の処理を実行する。
【０１０８】
図１２（ｂ）は、図８（ａ）に示すような操作がなされた後に、当該画像が拡大（Ｓ１０６）されたときの画面を示す図である。
【０１０９】
たとえば、図１２（ａ）に示されるように、スライドがなされた場合、ＣＰＵ１００は、スライドの始点の位置Ｐ１および終点の位置Ｐ２を検出する（Ｓ１０３）。そして、ＣＰＵ１００は、始点の位置Ｐ１および終点の位置Ｐ２により定義される領域Ｄ１を設定する。ステップＳ１０６における画像の拡大の処理は、この領域Ｄ１に基づいて実行される。
【０１１０】
このようにして、アップキー３７ａが押下された場合には、図１２（ｂ）のように、第１表示面１８に表示された画像が拡大される。
【０１１１】
ダウンキー３７ｂが押下された場合には、ＣＰＵ１００は、Ｓ１２３の処理において、ＣＰＵ１００はダウンキー３７ｂが押下されたことを検出し（Ｓ１２３：ＹＥＳ）、続いて、ステップＳ１０３〜Ｓ１０５およびＳ１０７の処理を実行する。このようにして、ダウンキー３７ｂが押下された場合には、第１表示面１８に表示された画像が縮小される。
【０１１２】
以上、本変更例によれば、ユーザは、領域Ｄ１を指定するための第１表示面１８に対するタッチを行う前に、当該画像の拡大および縮小する変換のうち何れの変換とするかを、ハードキー（アップキー３７ａ、ダウンキー３７ｂ）により選択することができる。これによって、ユーザは、画像を拡大させるのか縮小させるのかを明確に認識できる。よって、分かりやすい操作によって、画像の拡大および縮小をさせることができる。
【０１１３】
さらに、本変更例によれば、当該一方の変換の選択は、ハードキー（アップキー３７ａ、ダウンキー３７ｂ）の操作によってなされる。このため、第１表示面１８に対するユーザの視線が、ハードキーの操作のために用いる指に遮られにくい。また、第１表示面１８を、画像の表示のために最大限用いることも可能となる。これによって、画像の視認性が向上する。
【０１１４】
＜変更例３＞
上記実施の形態では、拡大または縮小の変換が適用された画像は、当該変換が適用される前の画像が表示されていた領域に表示された。以下に説明されるように、本変更例において、拡大または縮小が適用された変換後の画像は、変換前の画像が表示された領域とは異なる領域に表示される。
【０１１５】
本変更例において、画像の拡大および縮小の処理は、携帯電話機１が図２（ｄ）に示されるような開状態にあるときに実行される。また、画像の拡大および縮小の変換のうち一方の変換の選択は、変更例２と同様に、アップキー３７ａおよびダウンキー３７ｂの操作によってなされる。
【０１１６】
本変更例では、上記実施の形態と異なり、第２表示面２８に、拡大キーＢ１および縮小キーＢ２が表示されず、第１表示面１８と第２表示面２８の双方にアプリケーションの実行画面が表示される。そして、拡大または縮小が適用された変換後の画像は、変換前の画像が表示された表示面とは異なる表示面に表示される。
【０１１７】
図１３は、変更例３に係る画像の拡大および縮小のための処理手順を示すフローチャートである。
【０１１８】
本変更例に係る制御処理は、変更例２に係る制御処理に略同じである。ただし、図１１のステップＳ１０１、Ｓ１０８およびＳ１０９の処理が、図１３のステップＳ１２１、Ｓ１２８およびＳ１２９の処理に変更される。また、変更例２においては、変換前の画像および変換後の画像が、ともに第１表示面１８に表示された。これに対し、本変更例においては、拡大前の画像は第２表示面２８に表示され、変換後の画像は第１表示面１８に表示される。
【０１１９】
図１３を参照して、ＣＰＵ１００は、アプリケーションが起動すると、第１表示面１８と第２表示面２８の双方にアプリケーションの実行画面を表示する（Ｓ１２１）。
【０１２０】
図１４（ａ）は、本変更例に係る画像を拡大するための操作がなされるときの画面を示す図である。
【０１２１】
図１４（ａ）において、第１表示面１８には、たとえば、１２枚の画像のサムネイルが表示される。上から２番目かつ左から３番目のサムネイルは、現在フォーカスされている。この場合、第２表示面２８には、フォーカスされたサムネイルに対応する元の画像が表示される。
【０１２２】
ＣＰＵ１００は、変更例２と同様、ステップＳ１２２〜Ｓ１０７の処理を実行する。ただし、本変更例においては、ＣＰＵ１００は、第２表示面２８に対するスライドに基づき、始点の位置および終点の位置を検出し（Ｓ１０５）、第２表示面２８上に領域を設定する。
【０１２３】
たとえば、図１４（ａ）に示されるように、ＣＰＵ１００は、第２表示面２８に対して矢印に沿ってなされるスライドに応じて、始点の位置Ｐ４および終点の位置Ｐ５を検出する（Ｓ１０５）。そして、ＣＰＵ１００は、始点の位置Ｐ４および終点の位置Ｐ５によって定義される領域Ｄ３を設定する（Ｓ１０４）。そして、ＣＰＵ１００は、領域Ｄ３の境界を表す破線の枠Ｆ３を、第２表示面２８に表示する。ＣＰＵ１００は、アップキー３７ａが押下されていた場合（Ｓ１０５：拡大）、ＣＰＵ１００は、ステップＳ１２８の画像を拡大する処理を実行する。即ち、ＣＰＵ１００は、領域Ｄ３内の画像に拡大の変換を適用し、第１表示面１８に表示する。なお、図１４（ｂ）は、図１４（ａ）に示される操作がなされた後に、当該画像が拡大（Ｓ１０６）されたときの画面を示す図である。
【０１２４】
画像を縮小する処理（Ｓ１２９）についても、画像を拡大する処理（Ｓ１２８）と同様、第２表示面２８で縮小操作された画像が、第１表示面１８上に縮小されて表示される。
【０１２５】
なお、第１表示面１８への変換後の画像の表示は、所定の操作がなされることにより、解除されてもよい。変換後の画像が解除された場合、第１表示面には、図１４（ａ）に示される画像のサムネイルが、再び表示される。例えば、変換後の画像の表示が表示されている状態において、第１表示面１８が２度タップされたら表示が解除されてもよい。また、変換後の画像の表示がなされてから所定の時間が経過した後に、変換後の画像の表示が解除されてもよい。
【０１２６】
本変更例では、変換前および変換後の画像が同時に表示される。これによって、ユーザは、変換前および変換後の画像を比較することが可能となり、画像の視認性が向上する。
【０１２７】
＜変更例４＞
図１５は、変更例４に係る拡大または縮小の倍率を変更させるための処理手順を示すフローチャートである。本変更例において、上記実施の形態における画像の拡大または縮小の処理（図４のステップ１０８またはステップＳ１０９）が実行された後に、図１５に示す処理が実行される。
【０１２８】
図１６（ａ）は、本変更例に係る画像を拡大または縮小させるための操作がなされるときの画面を示す図である。図１６（ａ）に示すように、ＣＰＵ１００は、第１表示面１８に拡大された画像または縮小された画像が表示されている状態において、第１表示面１８に表示された画像における拡大または縮小の倍率を変更させるための複数の倍率変更キーＣ１〜Ｃ６を第２表示面２８に表示する（Ｓ３０１）。各倍率変更キーＣ１〜Ｃ６上には、それぞれ割り当てられている倍率の変更の度合いを表す文字列「‐５０％」、「−２０％」、「−１０％」、「＋１０％」、「＋２０％」、「＋５０％」が表示される。
【０１２９】
なお、図１６（ａ）において、第１表示面１８には、ウェブブラウザの実行画面が、１４０％の倍率で表示されていることとする。
【０１３０】
次に、ＣＰＵ１００は、倍率変更キーＣ１〜Ｃ６のいずれかがタッチされたか否かを判定する（Ｓ３０２）。倍率変更キー群Ｃ１〜Ｃ６の何れかがタッチされた場合（Ｓ３０２：ＹＥＳ）、ＣＰＵ１００は、タッチされたソフトキーに対応される倍率の変更の度合いを検出する（Ｓ３０３）。たとえば、図１６（ａ）に示されるように、倍率変更キーＣ３がタッチされた場合には、これに対応される倍率の変更の度合いである−１０％が検出される。
【０１３１】
次に、ＣＰＵ１００は、検出された倍率の変更の度合いに応じて、現在第１表示面１８に表示されている画像に拡大または縮小の変換を適用し、第１表示面１８に再び表示する（Ｓ３０４）。ステップＳ３０４の処理は、具体的には、以下のようにして実行される。
【０１３２】
上記図１６（ａ）の例の場合、ＣＰＵ１００は、検出された倍率の変更の度合い‐１０％に応じて、画像に適用される倍率を１４０％から１３０％に変更する。そして、図１６（ｂ）に示されるように、ＣＰＵ１００は、図１６（ａ）の第１表示面１８に表示された画像を、当該画像に対して１．３／１．４（≒０．９３）倍の大きさになるよう変換して第１表示面１８に表示する。
【０１３３】
上記例では、画像の拡大の処理（Ｓ１０８、図６参照）が行われた後における倍率変更について説明された。しかし、本変更例の倍率変更のための処理は、画像の縮小の処理（
Ｓ１０９、図７参照）が行われた後における倍率変更についても、同様にして処理を実行する。
【０１３４】
以上、本変更例によれば、上述の実施の形態において説明された画像の拡大および縮小のための処理の後に、ユーザは、倍率変更キーをタッチするという簡易な操作で、さらに倍率の調整を行うことができる。
【０１３５】
なお、本変更例において、拡大変更キーＣ１〜Ｃ６は、図４のフローチャートに示される処理が実行された後に、第２表示面２８に表示された。しかし、倍率変更キーＣ１〜Ｃ６は、これよりも前に表示されてもよい。たとえば、倍率変更キーＣ１〜Ｃ６は、図４のように、拡大キーＢ１および縮小キーＢ２が表示されるときに、同時に表示されてもよい。
【０１３６】
また、本変更例では、拡大変換キーＣ１〜Ｃ６が、第２表示面２８に、拡大キーＢ１および縮小キーＢ２に加えてさらに表示された。しかし、倍率変更キーＣ１〜Ｃ６が用いられない別の手段で、変換後の画像に倍率変更が適用されてもよい。
【０１３７】
たとえば、図６（ｂ）に示すように拡大された画像が第１表示面１８に表示されている状態において、拡大キーＢ１または縮小キーＢ２がタッチされた場合、当該画像がさらに拡大または縮小されて表示されてもよい。この場合、ＣＰＵ１００は、たとえば、拡大キーＢ１がタッチされると、当該画像をさらに１０％拡大して第１表示面１８に表示し、縮小キーＢ２がタッチされると、当該画像をさらに１０％縮小して、第１表示面１８に表示する。このように倍率を変更する処理は、図７（ｂ）に示すように縮小された画像が第１表示面１８に表示されている状態において、実行されてもよい。倍率の変更の度合いは１０％に限る必要はなく、１０％より大きくても、または小さくてもよい。
【０１３８】
＜変更例５＞
上記実施の形態では、画像の拡大および縮小の変換のうちいずれか一方がひとたび選択されると、その後の拡大または縮小のためのキー入力が継続しているか否かにかかわらず、画像の拡大および縮小のための処理が実行され、その結果、拡大または縮小された画像は、新たな拡大または縮小のための操作が行われない限り、そのサイズで表示されたままとなる。これに対し、本変更例では、拡大または縮小のためのキー入力が継続している場合に限り、画像の拡大および縮小のための処理が行われ、その結果、拡大または縮小の変換が適用された画像が第１表示面１８または第２表示面２８に表示される。拡大または縮小のためのキー入力がなくなると、拡大または縮小の表示が解除され、拡大または縮小される前の状態で画像が表示される。
【０１３９】
図１７は、変更例５に係る画像の拡大するための操作について説明するための図である。図１７（ａ）は、アップキー３７ａが指で押下された状態で領域Ｄ１が指定されたときのときの画面を示す図である。図１７（ｂ）は、領域Ｄ１の指定に基づいて拡大された画像が表示されたときの画面を示す図である。図１７（ｃ）は、アップキー３７ａから指が離されたときの画面を示す図である。
【０１４０】
図１７（ａ）に示すように、ＣＰＵ１００は、アップキー３７ａの押下が検出されている間、図４のステップＳ１０４〜Ｓ１０８と同様、画像を拡大するため処理を実行する。これにより、拡大された画像が第１表示面１８に表示される。拡大された画像を第１表示面１８に表示させた後、ＣＰＵ１００は、引き続き、アップキー３７ａの押下が継続しているか否かを監視する。ＣＰＵ１００は、当該押下が継続していることを検出している間、図１７（ｂ）に示すように、拡大された画像の表示を継続する。
【０１４１】
その後、図１７（ｃ）に示されるように、ユーザが、アップキー３７ａの押下を止めると、ＣＰＵ１００は、当該押下を検出しなくなる。この場合、ＣＰＵ１００は、拡大された画像の第１表示面１８への表示を解除し、拡大の処理が適用される前に表示されていた画像を再び表示する。
【０１４２】
ダウンキー３７ｂの押下が検知された場合も、ＣＰＵ１００は、上述のアップキー３７ａの押下が検知された場合の処理と同様にして、画像を縮小する。すなわち、ダウンキー３７ｂの押下が継続されている間、ＣＰＵ１００は、画像の縮小のための処理を実行する。そして、ユーザが、ダウンキー３７ｂの押下を止めると、ＣＰＵ１００は、縮小された画像の第１表示面１８への表示を解除し、縮小の処理が適用される前に表示されていた画像を再び表示する。
【０１４３】
以上、本変更例では、ＣＰＵ１００は、画像の拡大または縮小するためのキー入力が継続されている間、拡大または縮小された画像が第１表示面１８へ表示される。また、ＣＰＵ１００は、当該検知の継続が途切れたことに応じて、拡大または縮小された画像の表示を解除し、画像を元のサイズに戻して表示する。よって、拡大あるいは縮小された画像を簡単に元のサイズに戻すことができる。
【０１４４】
本変更例は、変更例２の構成に基づいて説明されている。このため、画像を拡大するか縮小するかを選択するための手段は、ハードキー（アップキー３７ａ、ダウンキー３７ｂ）とされている。また、携帯電話機１が閉状態であるときに拡大または縮小の操作がなされ、それに基づく拡大または縮小の処理が実行されている。しかしながら、画像を拡大するか縮小するかを選択するための手段は、ハードキーに限る必要はなく、たとえば、本実施の形態で説明された拡大キーＢ１、縮小キーＢ２、調整レバー等のソフトキーであってもよい。この場合、ＣＰＵ１００は、ソフトキーへのタッチ状態を継続して監視する。そして、ソフトキーへのタッチが継続されなくなると、ＣＰＵ１００は、拡大あるいは縮小された画像の表示を解除する。また、携帯電話機１が開状態であるときに、拡大または縮小の操作がなされ、それに基づく拡大または縮小の処理が実行されてもよい。
【０１４５】
＜その他＞
上記実施の形態では、長方形状を有する領域Ｄ１は、当該領域Ｄ１の中心位置を挟んだ互いに対向する頂点が、ユーザによりなされるスライドの始点Ｐ１および終点Ｐ２の位置に略一致するように設定された（図６（ａ）参照）。これに限らず、長方形状を有する領域は、他の方法で設定されてもよい。たとえば、図１８（ａ）に示すように、領域Ｄ４が、当該領域Ｄ４の中心位置がスライドの始点Ｐ６の位置に、そして当該領域Ｄ４の一つの頂点がスライドの終点Ｐ７の位置に略一致するように設定されてもよい。
【０１４６】
上記実施の形態では、拡大または縮小された画像が、元の画像が表示された表示面（第１表示面１８）全体に、元の画像に替わって表示される。また、変更例３では、拡大または縮小された画像が、元の画像が表示された表示面（第２表示面２８）とは異なる表示面（第１表示面１８）に表示される。しかしながら、これに限らず、たとえば、図１８（ｂ）に示すように、スライド（矢印参照）に基づいて領域（破線の枠参照）が指定されると、図１８（ｃ）に示すように、領域に基づいて拡大または縮小された画像が、表示面全体に表示された元の画像に重ねて第１の表示領域上にポップアップ表示されてもよい。
【０１４７】
なお、図１８（ｃ）に示すような変換後の画像の表示は、所定の操作がなされることにより、解除されてもよい。変換後の画像の表示が解除された場合、図１８（ｂ）に示される画像が、再び表示される。例えば、変換後の画像が表示されている状態において、変換後の画像上の領域に対して２度タップがなされたら、表示が解除されてもよい。また、変換後の画像の表示がなされてから所定の時間が経過した後に、変換後の画像の表示が解除
されてもよい。
【０１４８】
上記実施の形態では、画像が拡大される際、領域Ｄ１内の画像は、画像全体が第１表示面１８に収まり、かつその大きさが最大になるよう拡大された。画像の拡大のされ方は、領域内の画像が表示面に略一杯に表示されれば、これに限る必要はない。たとえば、領域内の画像は、縦方向および横方向のうちいずれか一方向に関する大きさ（画素）が、表示面の当該一方向に関する大きさに略一致するように拡大されてもよい。
【０１４９】
上記実施の形態では、画像が縮小される際、第１表示面１８に表示された画像は、当該画像の大きさが設定された領域の全体を略一杯に含むよう縮小された。画像の縮小のされ方は、当該画像が設定された領域を略一杯に含むよう縮小されば、これに限る必要はない。たとえば、表示面に表示された画像は、縦方向または横方向のうちいずれか一方向に関する大きさが、設定された領域の当該一方向に関する大きさに略一致するように縮小されてもよい。
【０１５０】
上記実施の形態では、設定される領域Ｄ１の枠が破線にて表示されることにより、領域Ｄ１がユーザに通知される。しかしながら、ユーザに領域を通知することができれば、領域を通知する方法として破線の枠が用いられる必要はない。たとえば、実線、一点鎖線等の各種の線が用いられてもよい。また、領域の内部または外部の画像の明度、彩度、色調等が変化されることによって、通知がなされてもよい。
【０１５１】
上記実施の形態では、第１の表示領域は、第１表示面１８または第２表示面２８全体の領域になるよう設定された。第１の表示領域は、これらに限らず、第１表示面１８と第２表示面２８の領域に含まれるなら、いかなる位置に設定されてもよいし、いかなる大きさに設定されてもよい。同様に、第２の表示領域も、第１表示面１８と第２表示面２８の領域に含まれるなら、いかなる位置に設定されてもよい。
【０１５２】
上記実施の形態では、拡大キーＢ１および縮小キーＢ２は、図５に示す位置に配された。これら、画像の拡大および縮小の変換のうち一方の変換を選択するためのソフトキーである拡大キーＢ１および縮小キーＢ２は、第１表示面１８または第２表示面２８上の別の位置に、別の配置構成で配されてもよい。たとえば、拡大キーＢ１および縮小キーＢ２は、横並びではなく縦並びになるよう配されてもよい。また、拡大キーＢ１および縮小キーＢ２は、第１表示面１８または第２表示面２８上において、右側または左側に偏って集まって配されてもよいし、複数の配置構成が、ユーザにより選択可能であってもよい。
【０１５３】
倍率変更キーＣ１〜６についても、同様に、第１表示面１８または第２表示面２８上の別の位置に、別の配置構成で配されてもよい。また、画像の拡大および縮小の変換のうち一方の変換を選択するためのハードキーは、アップキー３７ａおよびダウンキー３７ｂに限る必要はなく、別のキーが用いられてもよい。
【０１５４】
変更例２では、第２表示面２８に、横方向に伸びる目盛りＭが表示された。目盛りＭが伸びる向きは、横方向に限らず、縦方向、斜め方向など、いかなる向きであってもかまわない。また、目盛りＭは直線状の目盛りにかぎらず、たとえば円弧状に、湾曲していてもよい。また、目盛りＭに限らず、回転式のボリュームつまみ等でも良く、要するに、選択操作領域に対するタッチの操作位置に応じて、拡大率を変更できるものが表示されればよい。
【０１５５】
また、上記実施形態では、携帯電話機１を用いたが、ＰＤＡや携帯ゲーム機などの携帯端末装置を用いることもできる。
【０１５６】
この他、本発明の実施の形態は、特許請求の範囲に示された技術的思想の範囲内において、適宜、種々の変更が可能である。たとえば、上記実施形態の一部または全部を組み合わせることができる。
【符号の説明】
【０１５７】
１  携帯端末装置
１１  第１ディスプレイ  （表示部）
１２  第１タッチセンサ  （位置検出部）
２１  第２ディスプレイ  （表示部）
２２  第２タッチセンサ  （位置検出部、選択検出部）
１００  ＣＰＵ  （制御部、選択検出部、位置検出部、継続検出部）
３０３  キー入力回路  （選択検出部）
Ｄ１、Ｄ２、Ｄ３、Ｄ４  領域  （第１の領域、第２の領域）
【図１】
0005723631.tif 000002
【図２】
0005723631.tif 000003
【図３】
0005723631.tif 000004
【図４】
0005723631.tif 000005
【図５】
0005723631.tif 000006
【図６】
0005723631.tif 000007
【図７】
0005723631.tif 000008
【図８】
0005723631.tif 000009
【図９】
0005723631.tif 000010
【図１０】
0005723631.tif 000011
【図１１】
0005723631.tif 000012
【図１２】
0005723631.tif 000013
【図１３】
0005723631.tif 000014
【図１４】
0005723631.tif 000015
【図１５】
0005723631.tif 000016
【図１６】
0005723631.tif 000017
【図１７】
0005723631.tif 000018
【図１８】
0005723631.tif 000019